(57)【要約】【課題】  ハウジングに対してより大きな角度で開放されるドア、及びこのようなドアを有する洗濯機、及び乾燥機を提供する。【解決手段】  洗濯物を洗濯機、又は乾燥機に入れるための入口を開閉するように構成されるフレーム；及び、洗濯機、又は乾燥機のハウジングの内面に取り付けられるブラケット、及び前記ブラケットに回転可能に連結される第１部材と、前記洗濯機、及び乾燥機の外部に引き出されるように前記第１部材から連続的に延長され、前記フレームに回転可能に連結される第２部材とを有するヒンジアームを含むヒンジアセンブリを備え、前記ブラケット、及び前記ヒンジアームの各々に対して相対的に回転して大きな角度で開放される洗濯機、及び乾燥機用ドアを提供する。
2005514134.tif 000002
【特許請求の範囲】
【請求項１】
洗濯物を洗濯機又は乾燥機に入れるための入口を開閉するように構成されるフレーム；及び、
洗濯機又は乾燥機のハウジングの内面に取り付けられるブラケット及び、
前記ブラケットに回転可能に連結される第１部材と、前記洗濯機、及び乾燥機の外部に引き出されるように前記第１部材から連続的に延長され、前記フレームに回転可能に連結される第２部材とを有するヒンジアームを含むヒンジアセンブリからなり、
前記ブラケット及び前記ヒンジアームの各々に対して相対的に回転して大きな角度で開放される洗濯機及び乾燥機用ドア。
【請求項２】
前記ブラケットは、
前記ハウジングに固定される第１先端部；
前記ヒンジアームの第１部材に連結される第２先端部を含むことを特徴とする請求項１記載の洗濯機及び乾燥機用ドア。
【請求項３】
前記ブラケットは前記第２部材を通過させる案内スリットを含むことを特徴とする請求項１記載の洗濯機及び乾燥機用ドア。
【請求項４】
前記ハウジングは前記案内スリットと対応する位置に形成され、前記案内スリットに連通するスリットを含むことを特徴とする請求項３記載の洗濯機及び乾燥機用ドア。
【請求項５】
前記スリットは前記洗濯物を洗濯機、及び乾燥機に入れたり取り出すための入口付近に形成されることを特徴とする請求項４記載の洗濯機及び乾燥機用ドア。
【請求項６】
前記ヒンジアームの第１部材は、
前記ブラケットに回転可能に連結される第１先端部；
前記第１先端部に対向し、前記第２部材と一体に連結される第２先端部を含むことを特徴とする請求項１記載の洗濯機及び乾燥機用ドア。
【請求項７】
前記ブラケットと第１部材との連結部は、
前記ブラケットに形成されるハーブ；
前記第１部材の第１先端に形成されるハーブ；
前記ハーブに共通に挿入され、これらを連結させるヒンジ軸を含むことを特徴とする請求項６記載の洗濯機及び乾燥機用ドア。
【請求項８】
前記第１部材はブラケット、又はハウジングに掛り、制限範囲で回転することを特徴とする請求項１記載の洗濯機及び乾燥機用ドア。
【請求項９】
前記第１部材は実質的に平らな板形部材であることを特徴とする請求項８記載の洗濯機及び乾燥機用ドア。
【請求項１０】
前記第１部材は部分的に折り曲げられることを特徴とする請求項１記載の洗濯機及び乾燥機用ドア。
【請求項１１】
前記第１部材はハウジングの内面に向けて折り曲げられることを特徴とする請求項１０記載の洗濯機及び乾燥機用ドア。
【請求項１２】
前記ヒンジアームの第２部材は、
前記第１部材と一体に連結される第１先端部；
前記第１先端部に対向し、前記フレームに回転可能に連結される第２先端部を含むことを特徴とする請求項１記載の洗濯機及び乾燥機用ドア。
【請求項１３】
前記第２部材は、前記第１部材から前記ハウジングに垂直に延長され、所定の曲率を有する板形部材であることを特徴とする請求項１記載の洗濯機及び乾燥機用ドア。
【請求項１４】
前記第２部材は前記ドアの開放方向にカーブすることを特徴とする請求項１３記載の洗濯機及び乾燥機用ドア。
【請求項１５】
前記第２部材は前記ドアの内部に挿入されることを特徴とする請求項１記載の洗濯機及び乾燥機用ドア。
【請求項１６】
前記第２部材は前記ドアの外部フレームの内面に連結されることを特徴とする請求項１５記載の洗濯機及び乾燥機用ドア。
【請求項１７】
前記第２部材と外部フレームとの連結部は、
前記第２部材に形成されるヒンジ軸；
前記ヒンジ軸を回転可能に収容し、前記外部フレームの内面上に取り付けられるブラケットを含むことを特徴とする請求項１６記載の洗濯機、及び乾燥機用ドア。
【請求項１８】
前記第２部材は前記外部フレームの内面から所定の間隔で離隔して連結されることを特徴とする請求項１７記載の洗濯機及び乾燥機用ドア。
【請求項１９】
前記外部フレームに結合される内部フレームには前記第２部材が前記ドアに対して相対回転を可能にする切開部が形成されることを特徴とする請求項１８記載の洗濯機及び乾燥機用ドア。
【請求項２０】
前記外部フレームには前記第２部材が前記ドアに対して相対回転が可能なようにし、前記切開部に連結される補助切開部が形成されることを特徴とする請求項１９記載の洗濯機及び乾燥機用ドア。
【請求項２１】
前記第２部材は第１部材より狭い幅を有するバー部材からなることを特徴とする請求項１５記載の洗濯機及び乾燥機用ドア。
【請求項２２】
前記第２部材は前記バー部材から延長されるリブをさらに含むことを特徴とする請求項２１記載の洗濯機及び乾燥機用ドア。
【請求項２３】
前記リブは前記ドアと所定の間隔を有するように形成されることを特徴とする請求項２２記載の洗濯機及び乾燥機用ドア。
【請求項２４】
前記ドアと隣接する前記リブの先端は、ドアの外形と対応するように傾斜することを特徴とする請求項２３記載の洗濯機及び乾燥機用ドア。
【請求項２５】
前記第２部材に容易に連結されえるように、前記第２部材に隣接したフレームの一部は分離可能であることを特徴とする請求項１５記載の洗濯機及び乾燥機用ドア。
【請求項２６】
前記内部フレームはメインフレームと、前記メインフレームから分離可能で、前記第２部材の連結部に隣接するサブフレームとからなることを特徴とする請求項２５記載の洗濯機及び乾燥機用ドア。
【請求項２７】
前記ヒンジアセンブリは前記ドアに発生する衝撃を吸収する緩衝手段をさらに含むことを特徴とする請求項１記載の洗濯機及び乾燥機用ドア。
【請求項２８】
前記緩衝手段は前記第１部材を弾性的に支持することを特徴とする請求項２７記載の洗濯機及び乾燥機用ドア。
【請求項２９】
前記緩衝手段は前記第１部材に隣接し、前記第１部材と接触可能にハウジング上に取り付けられる弾性部材であることを特徴とする請求項２８記載の洗濯機及び乾燥機用ドア。
【請求項３０】
前記弾性部材はスポンジ、圧縮スプリング、又はゴムであることを特徴とする請求項２９記載の洗濯機及び乾燥機用ドア。
【請求項３１】
前記緩衝手段は前記第１部材とブラケットとの連結部に装着される弾性部材であることを特徴とする請求項２８記載の洗濯機及び乾燥機用ドア。
【請求項３２】
前記弾性部材は前記第１部材により支持される一端と、前記ブラケットにより支持される他端とを含み、前記第１部材とブラケットと共に同一のヒンジ軸により連結されるスプリングであることを特徴とする請求項３１記載の洗濯機及び乾燥機用ドア。
【請求項３３】
前記緩衝手段は前記第２部材を弾性的に支持することを特徴とする請求項２７記載の洗濯機及び乾燥機用ドア。
【請求項３４】
前記緩衝手段は前記第２部材と前記ドアフレームとの間に設けられる板スプリングであることを特徴とする請求項３３記載の洗濯機及び乾燥機用ドア。
【請求項３５】
前記緩衝手段は、
前記第２部材に隣接するよう前記ドアフレームに設けられる板スプリング；
前記第２部材に設置され、前記ドアの回転時に前記板スプリングに接触するカムを含むことを特徴とする請求項３３記載の洗濯機及び乾燥機用ドア。
【請求項３６】
前記ヒンジアセンブリは一対の第１及び第２ブラケットと、該ブラケットに回転可能に連結される一対の第１及び第２ヒンジアームとからなることを特徴とする請求項１又は請求項２２記載の洗濯機及び乾燥機用ドア。
【請求項３７】
前記第１及び第２ヒンジアームの第２部材のバー部材は前記第１部材の長さ方向の中心軸から外側に離隔して配置されることを特徴とする請求項３６記載の洗濯機及び乾燥機用ドア。
【請求項３８】
前記第１ヒンジアームと、第２ヒンジアームとはそれぞれ互いに異なる幅のリブを有することを特徴とする請求項３７記載の洗濯機及び乾燥機用ドア。
【請求項３９】
前記第１及び第２ヒンジアームの互いに対称するリブの幅は同じであることを特徴とする請求項３８記載の洗濯機及び乾燥機用ドア。
【請求項４０】
前記第１及び第２ヒンジアームの互いに対向するリブの幅は、他のリブの幅より大きいことを特徴とする請求項３８記載の洗濯機及び乾燥機用ドア。
【請求項４１】
前記ヒンジアセンブリは前記第１及び第２ヒンジアームを互いに拘束する連結手段をさらに含むことを特徴とする請求項３６記載の洗濯機及び乾燥機用ドア。
【請求項４２】
前記連結手段は前記第１及び第２ヒンジアームの第１部材を連結させる板形部材であることを特徴とする請求項４１記載の洗濯機及び乾燥機用ドア。
【請求項４３】
前記板形部材の周縁にはフランジが形成されることを特徴とする請求項４２記載の洗濯機及び乾燥機用ドア。
【請求項４４】
前記板形部材と、前記ヒンジアームとの連結部は、
前記第１部材に形成されるボスと、該ボスに対応して前記板形部材に形成される貫通孔と、該貫通孔に締結される締結部材とを含むことを特徴とする請求項４３記載の洗濯機及び乾燥機用ドア。
【請求項４５】
前記連結手段は前記第１及び第２ヒンジアームの第２部材にそれぞれ形成されたヒンジ軸を連結させるロードであることを特徴とする請求項４１記載の洗濯機及び乾燥機用ドア。
【請求項４６】
前記ロードはこれの上端、及び下端部にそれぞれ形成され、第２部材の互いに対向するヒンジ軸をそれぞれ収容するヒンジホールを有することを特徴とする請求項４５記載の洗濯機及び乾燥機用ドア。
【請求項４７】
前記ロードの上端、又は下端部の一部が着脱可能に形成されることを特徴とする請求項４６記載の洗濯機及び乾燥機用ドア。
【請求項４８】
前記ロードは、
前記ロードのボディに一体に連結され、前記ヒンジ軸を支持する溝を有する第１先端部；
前記第１先端部に着脱可能に結合され、前記第１先端部の溝と共に前記ヒンジ軸を収容する溝を有する第２先端部を含むことを特徴とする請求項４７記載の洗濯機及び乾燥機用ドア。
【請求項４９】
ハウジング；
前記ハウジングの内部に設けられ、洗濯水を貯蔵するタブ；
前記タブ内に回転可能に設けられ、洗濯物を洗濯するように構成されるドラム；及び
洗濯物を前記ドラム内に入れるための入口を開閉するように構成されるフレーム；前記ハウジングの内面に取り付けられるブラケット、及び前記ブラケットに回転可能に連結される第１部材と、前記ハウジングの外部に引き出されるように前記第１部材から連続的に延長され、前記フレームに回転可能に連結される第２部材とを有するヒンジアームを含むヒンジアセンブリを備え、前記ブラケット、及び前記ヒンジアームの各々に対して相対的に回転して大きな角度で開放されるドアからなる洗濯機。
【請求項５０】
ハウジング；
前記ハウジングの内部に回転可能に設けられ、洗濯物を乾燥させるように構成されるドラム；
前記ハウジングの内部に設けられ、前記ドラムの内部に熱い空気を供給する加熱装置；及び
洗濯物を前記ドラム内に入れるための入口を開閉するように構成されるフレーム；前記ハウジングの内面に取り付けられるブラケット、及び前記ブラケットに回転可能に連結される第１部材と、前記ハウジングの外部に引き出されるように前記第１部材から連続的に延長され、前記フレームに回転可能に連結される第２部材とを有するヒンジアームを含むヒンジアセンブリを備え、前記ブラケット、及び前記ヒンジアームの各々に対して相対的に回転して大きな角度で開放されるドアからなる洗濯機。
【発明の詳細な説明】
【技術分野】
【０００１】
本発明は洗濯機及び乾燥機に関し、特に洗濯機及び乾燥機に装着されるドアに関する。
【背景技術】
【０００２】
公知のように、洗濯機は内部に設置されたタブ、又はドラムを有し、前記ドラム、及びタブを回転させ、その内部の洗濯物を洗濯する。このような洗濯機と同様に乾燥機も内部に設置され、洗濯された洗濯物を収容するドラムを有し、前記ドラムの内部に高温の空気を供給して前記洗濯物を乾燥させる。
【０００３】
このような洗濯機、及び乾燥機に洗濯物を出し入れするために前記洗濯機、及び乾燥機のハウジングにはドアが装着される。前記ドアは前記ハウジングに形成され、洗濯機、及び乾燥機の内部のドラムと連通する入口（又は開口部）を開放、又は閉鎖するように構成されている。より詳細には、前記ドアは前記ハウジングに装着されたヒンジアセンブリに連結され、前記入口（開口部）を開放、及び閉鎖するように前記ヒンジアセンブリを中心に回転する。
【発明の開示】
【発明が解決しようとする課題】
【０００４】
しかしながら、通常のドアは前記ヒンジアセンブリに形成される一つの回転軸のみを中心に回転するため、前記ドアは前記ハウジングに対して所定の制限された角度にだけ開放される。したがって、実質的にユーザーがドアを開け、洗濯物を出し入れするのに不便である。また、洗濯物の出し入れ途中に前記ドアに無理な力が加えられえるし、これはヒンジアセンブリ、及びドアの耐久性を低下させる。
【０００５】
そこで、本発明の目的は、前記ハウジングに対してより大きな角度に開放されるドア、及びこのようなドアを有する洗濯機、及び乾燥機を提供することにある。
【課題を解決するための手段】
【０００６】
上記目的を達成するための本発明の一形態によれば、本発明は洗濯物を洗濯機、又は乾燥機に入れるための入口を開閉するように構成されるフレーム；及び、洗濯機、又は乾燥機のハウジングの内面に取り付けられるブラケット、及び前記ブラケットに回転可能に連結される第１部材と、前記洗濯機、及び乾燥機の外部に引き出されるように前記第１部材から連続的に延長され、前記フレームに回転可能に連結される第２部材とを有するヒンジアームを含むヒンジアセンブリを備え、前記ブラケット、及び前記ヒンジアームの各々に対して相対的に回転して大きな角度で開放される洗濯機、及び乾燥機用ドアを提供する。
【０００７】
前記ブラケットは、前記ハウジングに固定される第１先端部；前記ヒンジアームの第１部材に連結される第２先端部を含む。また、前記ブラケットは前記第２部材を通過させる案内スリットを含む。前記ハウジングは前記案内スリットと対応する位置に形成され、前記案内スリットと連通するスリットを含む。
【０００８】
前記ヒンジアームの第１部材は、前記ブラケットに回転可能に連結される第１先端部；前記第１先端部に対向し、前記第２部材と一体に連結される第２先端部を含む。そして、前記ブラケットと第１部材との連結部は、前記ブラケットに形成されるハーブ；前記第１部材の第１先端に形成されるハーブ；前記ハーブに共通に挿入され、これらを連結させるヒンジ軸を含む。
【０００９】
このような前記第１部材は部分的に折り曲げられることが好ましく、さらに好ましくはハウジングの内面に向けて折り曲げられる。
【００１０】
前記ヒンジアームの第２部材は、前記第１部材と一体に連結される第１先端部；前記第１先端部に対向し、前記フレームに回転可能に連結される第２先端部を含む。好ましくは、前記第２部材は前記ドアの内部に挿入され、より詳細には前記ドアの外部フレームの内面に連結される。
【００１１】
このような前記第２部材と外部フレームとの連結部は、前記第２部材に形成されるヒンジ軸；前記ヒンジ軸を回転可能に収容し、前記外部フレームの内面上に取り付けられるブラケットを含む。
【００１２】
また、前記外部フレームに結合される内部フレームには前記第２部材が前記ドアに対して相対回転可能にする切開部が形成され、前記外部フレームには前記第２部材が前記ドアに対して相対回転可能なようにし、前記切開部に連結される補助切開部が形成される。
【００１３】
前記第２部材は第１部材より狭い幅を有するバー部材からなることが好ましく、このような前記バー部材からリブが延長される。
【００１４】
前記第２部材に容易に連結されえるように前記第２部材に隣接したフレームの一部は分離可能に形成され、これにより、前記内部フレームはメインフレームと、前記メインフレームから分離可能で、前記第２部材の連結部に隣接するサブフレームとからなる。
【００１５】
一方、前記ヒンジアセンブリは前記ドアに発生する衝撃を吸収する緩衝手段をさらに含むことが好ましい。前記緩衝手段は前記第１部材に隣接し、前記第１部材と接触可能にハウジング上に取り付けられる弾性部材である。また、前記緩衝手段は前記第１部材とブラケットとの連結部に装着される弾性部材である。
【００１６】
尚、前記緩衝手段は、前記第２部材と前記ドアフレームとの間に設けられる板スプリングである。また、前記緩衝手段は、前記第２部材に隣接するよう前記ドアフレームに設けられる板スプリング；前記第２部材に設置され、前記ドアの回転時に前記板スプリングと接触するカムを含む。
【００１７】
好ましくは、前記ヒンジアセンブリは、一対の第１及び第２ブラケットと、該ブラケットに回転可能に連結される一対の第１及び第２ヒンジアームとからなる。このような場合、前記第１及び第２ヒンジアームの第２部材のバー部材は前記第１部材の長さ方向の中心軸から外側に離隔して配置されることが好ましい。
【００１８】
このような一対のヒンジアームを有するヒンジアセンブリは前記第１及び第２ヒンジアームを互いに拘束する連結手段をさらに含むことがまた好ましい。
【００１９】
前記連結手段は前記第１及び第２ヒンジアームの第１部材を連結させる板形部材である。また、前記連結手段は前記第１及び第２ヒンジアームの第２部材にそれぞれ形成されたヒンジ軸を連結させるロードである。
【００２０】
本発明の他の形態によれば、本発明はハウジング；前記ハウジングの内部に設けられ、洗濯水を貯蔵するタブ；前記タブ内に回転可能に設けられ、洗濯物を洗濯するように構成されるドラム；及び、洗濯物を前記ドラム内に入れるための入口を開閉するように構成されるフレーム；前記ハウジングの内面に取り付けられるブラケット、及び前記ブラケットに回転可能に連結される第１部材と、前記ハウジングの外部に引き出されるように前記第１部材から連続的に延長され、前記フレームに回転可能に連結される第２部材とを有するヒンジアームを含むヒンジアセンブリを備え、前記ブラケット及び前記ヒンジアームの各々に対して相対的に回転して大きな角度で開放されるドアからなる洗濯機を提供する。
【００２１】
本発明のまた他の形態によれば、本発明はハウジング；前記ハウジングの内部に回転可能に設けられ、洗濯物を乾燥するように構成されるドラム；前記ハウジングの内部に設けられ、前記ドラムの内部に熱い空気を供給する加熱装置；及び、洗濯物を前記ドラム内に入れるための入口を開閉するように構成されるフレーム；前記ハウジングの内面に取り付けられるブラケット、及び前記ブラケットに回転可能に連結される第１部材と、前記ハウジングの外部に引き出されるように前記第１部材から連続的に延長され、前記フレームに回転可能に連結される第２部材とを有するヒンジアームを含むヒンジアセンブリを備え、前記ブラケット及び前記ヒンジアームの各々に対して相対的に回転して大きな角度で開放されるドアからなる洗濯機を提供する。
【発明を実施するための最良の形態】
【００２２】
以下、本発明の好ましい実施形態を添付の図面に基づいて詳細に説明する。
【００２３】
図１は本発明による洗濯機を示す側断面図であり、図２は本発明に係る乾燥機を示す側断面図である。
【００２４】
まず、図１に示すように、本発明の洗濯機は、全体的にハウジング１１と、該ハウジング１１の内部に設けられるタブ１２と、ドラム１３とからなる。
【００２５】
前記ハウジング１１は各種の部品がその内部に設けられるように設計され、このような部品を保護する。
【００２６】
前記タブ１２は洗濯中に前記内槽に一定して洗濯水を供給するため予備的に洗濯水を貯蔵する。そして、前記タブ１２はダンピング部材１１ａ，１１ｂを用いて前記ハウジング１１の内部に弾性的に固定される。前記ドラム１３は洗濯物を収容し、前記タブ１２の内部に回転可能に設けられる。 、
前記ドラム１３は前記タブ１２から洗濯水が流入しえるように多数個の貫通孔１３ｂを含む。また、前記洗濯物がよく混ぜられるよう多数個のバフル１３ａが前記ドラム１３の内週面に取り付けられる。
【００２７】
一方、前記駆動部１４は前記タブ１２に隣接して設置され、前記ドラム１３に回転のための動力を提供する。前記駆動部１４は一般にモータ、駆動軸、及びモーター及び駆動軸を連結するクラッチ、又はベルトを含み、前記駆動軸は前記タブ１２を介して前記ドラム１３に連結される。
【００２８】
また、本発明による乾燥機は、図２に示すように、全体的にハウジング２１と、前記ハウジングの内部のドラム２２とからなる。前記ドラム２２は洗濯物を収容し、前記ハウジング２１の内部に回転可能に設けられる。また、前記ドラム１２はダンピング部材２１ａ，２１ｂを用いて前記ハウジング２１の内部に弾性的に固定される。前記駆動部２３は前記ドラム１３に回転のための動力を提供し、前記洗濯機の駆動部１４と類似した構造を有する。最後に、前記加熱装置２４は洗濯物の乾燥のために熱い空気を生成させ、前記ドラム２２の内部に供給する。
【００２９】
このような洗濯機、及び乾燥機は洗濯物を出し入れするためのドア３０を共通に備える。前記ドア３０は図１及び図２に示すように、前記ドラム１３，２２と連通する入口１５，２５を開放、又は閉鎖するように構成される。即ち、洗濯物は前記洗濯ドラム１２内に前記ドア３０を開放した後、前記入口１５を介して投入され、前記ドア３０を閉鎖した後、前記洗濯ドラム１２の回転によって洗濯、及び脱水される。そして、前記洗濯機で洗濯された洗濯物は前記ドア３０を開放した後、前記入口２５を介して乾燥ドラム２２内に投入され、前記ドア３０を閉鎖した後、前記加熱装置２４の熱い空気を用いて乾燥される。
【００３０】
より詳細には、前記ドア３０は、図４Ａ及び図４Ｂに示すように、外部フレーム３１と、該外部フレーム３１に結合される内部フレーム３２とを含む。そして、前記外部フレーム３１と内部フレーム３２との間には前記ドラム１３，２２の内部を覗き込めるようにドアグラス３３が挟まれる。
【００３１】
尚、前記ドア３０の一方にはフックが形成され、該フックを収容するように前記ハウジング１１，２１には締結メカニズムが装着される。前記ドア３０が閉鎖されるとき、前記フックは前記締結メカニズムと噛み合わさり、前記ドア３０は洗濯機、及び乾燥機の作動中に開放されない。このようなドア３０は実際にヒンジアセンブリ１００によって前記ハウジング１１，２１に回転可能に装着され、回転しながら前記入口１５，２５を開放、又は閉鎖する。このようなヒンジアセンブリ１００は以下でより詳細に説明する。
【００３２】
図３Ａ〜図３Ｃは本発明による洗濯機、及び乾燥機用ドアに装着されるヒンジアセンブリを示す図面であり、図４Ａ及び４Ｂはヒンジアセンブリとドアとの連結部を示す部分拡大斜視図である。
【００３３】
前記ヒンジアセンブリ１００は前記ハウジング１１，２１の内面に取り付けられるブラケット１１０と、該ブラケット１１０、及び前記ドア３０にそれぞれ回転可能に連結されるヒンジアーム１２０とからなる。このようなヒンジアセンブリ１００は図５Ａ〜図１１Ｄにも詳細に示され、それに関する説明においても図３Ａ〜図４Ｂと共に参照される。
【００３４】
前記ブラケット１１０は基本的に前記ヒンジアーム１２０を回転可能に支持するように構成される。前記ブラケット１１０は、より詳細には、前記ハウジング１１，２１の内面に取り付けられる第１先端部１１１と、前記ヒンジアーム１２０に連結される第２先端部１１２とを含む。このような第１先端部１１１は前記ハウジング１１，２１に所定の締結部材に取り付けられるよう貫通孔１１１ａを含む。
【００３５】
また、図１１Ａ−図１１Ｄにも示すように、前記ブラケット１１０と共にハウジング１１，２１内に位置するヒンジアーム１２０が部分的にハウジングの外部に引き出されるように、前記ブラケット１１０にはスロット１１３が形成される。これと共に、前記ハウジング１１，２１にも前記スロット１１３と連通するスロット１６，２６が形成され、これらのスロット１１３，１６，２６は前記入口１５，２５に隣接する。即ち、前記ヒンジアーム１２０の一部は回転中に前記スロット１１３，１６，２６を介してハウジングの外部に引き出され、引き出される途中に前記スロット１１３，１６，２６により案内される。これにより、前記ヒンジアーム１２０はハウジングの外部のドア３０に連結され、外部に引き出されつつドア３０を開放するように回転させる。
【００３６】
前記ヒンジアーム１２０は前記ブラケット１００に回転可能に連結される第１部材１２１と、該第１部材１２１から連続的に延長され、前記ドア３０と回転可能に連結される第２部材１２２とを有する。前記第１部材１２１は前記ハウジング１１，２１の内部で前記ブラケット１００に連結され、第２部材１２２は前記ハウジング１１，２１の外部でドア３０に連結される（図１１Ａ−図１１Ｄ参照）。
【００３７】
まず、前記第１部材１２１は前記ブラケット１１０と回転可能に連結される第１先端部１２１ａと、前記第１先端１２１ａに対向する第２先端１２１ｂとを含む。ここで、前記第１先端部１２１ａは実際的に前記ブラケット１１０の第２先端部１１２に連結される。より詳細には、前記ブラケット１１０の第２先端部１１２にはハブ１１２ａが形成され、これと同じように前記第１部材１２１の第１先端部１２１ａにもハブ１２１ｃが形成される。
【００３８】
そして、前記ハブ１１２ａ，１２１ｃは第１ヒンジ軸１１２ｂによって互いに連結される。また、前記第２先端１２１ｂは前記第２部材１２２に一体に連結される。
【００３９】
このような第１部材１２１は、図示したように、前記ブラケット１１０の一部１１４に引っ掛かり制限的に回転する。そして、前記ブラケット１１０に引っ掛からない場合も、前記第１部材１２１は制限的な回転範囲を有するように前記ハウジング１１，２１の内面に引っ掛かる。
【００４０】
したがって、前記ハウジング１１，２１、又はブラケット１１０に安定的に
引っ掛かるように、前記第１部材１２１は実質的に平らな板形状を有することが好ましい。
【００４１】
一方、前記第１部材１２１は前記ヒンジアーム１２０、及びドア３０をスムースに回転させるためには、適当な長さを有するべきである。
【００４２】
尚、前記ヒンジアーム１２０（つまり、第１部材）は前記ドア３０と共に一次的に前記ヒンジ軸１１２ｂを中心に回転する。このような回転中に発生するモーメントは、殆ど前記第１部材１２１の長さや前記ドア３０を引っ張る力に依存する。前記ドア３０を回転させるのに必要なモーメントは一定であるので、前記第１部材１２１の長さを増加させるほど、少ない力でドア３０を回転させえる。このため、前記第１部材１２１を長く延長することが有利であるが、延長された第１部材１２１は回転中に前記ハウジング１１，２１や周辺の他の部品を干渉することがある。したがって、前記第１部材１２１は前記ハウジング１１，２１に向けて部分的に折り曲げられることが好ましい（図１１Ａ参照）。
【００４３】
このように折り曲げられた第１部材１２１は、自身の長さを増加させつつ同時に周りとの干渉を最小化しえる。
【００４４】
前記第２部材１２１は前記第１部材の第２先端部１２１ｂに一体に連結される第１先端部１２２ａと、前記第１先端部１２２ａに対向する第２先端部１２２ｂとを含む。前記第２先端部１２２ｂは、前記ドア３０、正確にはフレーム３１，３２に回転可能に連結される。したがって、前記第２部材１２２は部分的に前記スロット１１３，１６，２６を介して常に外部に突出し、ドア３０の開放時に前記第１部材１２１がブラケット１１０に引っ掛かるまで引き出される。
【００４５】
より詳細には、前記第２部材１２２は、前記スロット１１３，１６，２６を介して引き出されるように、前記第１部材１２１から前記隣接したハウジング１１，２１に垂直に延長される。また、前記第２部材１２２は円滑に引き出されえるよう所定の曲率を有することが好ましい。さらに、前記ドア３０の開放角度を増加させるために、前記第２部材１２２は前記ドア３０の開放方向にカーブした方が良い。
【００４６】
前記第２部材１２２は例えば、前記ドア３０の外部に連結されえる。即ち、図４Ａ及び図４Ｂを参照すると、前記ドアの内部フレーム３２上にブラケットを取り付け、前記第２部材１２２の第２先端１２２ｂが前記ブラケットに結合されえる。しかし、このようなブラケットは前記ドア３０の厚さを実質に増加させる結果をもたらし、これにより、前記ドア３０がヒンジアーム１２０やハウジング１１，２１と接触する可能性がある。
【００４７】
したがって、図４Ａ及び図４Ｂに示すように、前記第２部材１２２は前記ドア３０の内部に挿入されることが好ましい。その結果、ブラケットを使用しないので、前記ドア３０は薄くなり、回転中に干渉が発生しない。また、ブラケットが露出されないので、ドア３０の外観が良くなる。より詳細には、前記図４Ｂに示すように、前記第２部材１２２は前記ドアの外部フレーム３１に連結される。前記第２先端１２２ｂには第２ヒンジ軸１２２ｆが形成され、前記第２ヒンジ軸１２２ｆを回転可能に収容するブラケット３１ｃが前記外部フレーム３１の内面上に取り付けられる。また、前記第２部材１２２は前記外部フレーム３１の内面に対して所定の間隔離隔することが好ましい。
【００４８】
このような余裕間隔によって前記ドア３０は前記第２部材１２２に対してさらに大きな角度で相対的に回転しえる。このために、前記外部フレーム３１の内面上に所定の高さのリブ３１ｂが形成され、前記リブ３１ｂ上に前記ブラケット３１ｃが装着される。
【００４９】
また、前記ドア３０が前記第２部材１２２に対して前記ヒンジ軸１２２ｆを中心に相対的に回転するためには、前記第２部材１２２の周辺のフレーム３１，３２の一部が除去される。したがって、前記内部フレーム３２には前記第２部材１２２のための切開部３２ｃが形成される。
【００５０】
そして、前記外部フレーム３１にも前記切開部３２ｃに連結される補助切開部３１ａが形成されることが好ましい。
【００５１】
しかし、前記第２部材１２２の幅が広い場合、前記切開部３１ａ，３２ｃも広く形成され、前記フレーム３１，３２の強度が低下することもある。このために、前記第２部材１２２は、少なくとも前記第１部材１２１の幅より狭い幅を有するバー部材１２２ｃからなることが有用である。このようなバー部材１２２ｃによって前記切開部３１ａ，３２ｃの大きさは前記フレーム３１，３２の強度が減少しないように最小化されえる。
【００５２】
反面、前記バー部材１２２ｃは実質的に小さい断面を有するので強度が低下する可能性がある。このような第２部材１２２の強度を補強するために、前記第２部材１２２は前記バー部材１２２ｃから幅方向に延長されるリブ１２２ｄ、１２２ｅをさらに含む。既述したように、リブ１２２ｄ，１２２ｅは最小化された切開部３１ａ，３２ｃのためにドアフレーム３１，３２の内部に延長されない。その代わり前記リブ１２２ｄ、１２２ｅは前記ドアフレーム３１，３２と所定の間隔を有するように前記バー部材１２２ｃに沿って延長される。このようなリブ１２２ｄ，１２２ｅは前記バー部材１２２ｃの強度を補償するために、できるだけ長く前記ドア３０に隣接するよう延長されることが好ましい。したがって、前記ドア３０と隣接するリブ１２２ｄ，１２２の先端はドア３０の外形に対応して形成され、図示したように、ドア３０が所定の曲率を有するので所定の傾斜を有する。
【００５３】
前記第２部材１２２はまた前記外部フレーム３１の内面上に装着されるため、外部及び内部フレーム３１，３２、ドアグラス３３、及び第２部材１２２が同時に組み立てられる。しかし、前記ドアグラス３３が重いため、このような組立作業は容易ではなく、失敗が発生しやすい。
【００５４】
また、交替や修理のために前記ドア３０を分離する場合、前記内部フレーム３２全体を前記外部フレーム３１から分離しなければならないので面倒くさい。
【００５５】
したがって、前記第２部材１２２に隣接する内部フレーム３２の一部が分離可能であることが好ましい。
【００５６】
即ち、図４Ｂに示すように、前記内部フレーム３２はメインフレーム３２ａと、前記第２部材１２２に隣接し、かつ前記メインフレーム３２ａから分離可能なサブフレーム３２ｂとを含む。そして、前記メインフレーム３２ａと前記サブフレーム３２ｂとを堅固に連結するために、前記メインフレーム３２ａの両先端には延長部３２ｄが形成され、前記延長部３２ｄに前記サブフレーム３２ｂの両端部がそれぞれ締結される。ドアを組み立てる場合、前記メインフレーム３２ａ、外部フレーム３１、ドアグラス３２が先に結合された後、このようなセミアセンブリに前記第２部材１２２が連結され、最終的に前記サブフレーム３２ｂが前記外部フレーム３１に装着されえる。したがって、前記ドア３０は、前記ヒンジアセンブリ１００と容易に連結されえる。また、前記サブフレーム３２ｂのみを分離して、ドア３０全体が前記ヒンジアセンブリ１００、つまり、第２部材１２２からたやすく分離されえる。
【００５７】
一方、前記ドア３０が急激に閉まると、前記ハウジング１１，２１には衝撃が与えられる。このような衝撃は前記ドア３０自体の耐久性を低下させるだけでなく、前記洗濯機、又は乾燥機の内部の敏感な電子部品の故障を引き起こすことがある。
【００５８】
また、前記ドア３０が急激に開放されると、過度に回転しながら前記ドア３０、つまり、外部フレーム３１は前記ハウジング１１，２１、及び前記第２部材１２２と衝突する。このような場合、前記洗濯機、及び乾燥機に衝撃が加えられるだけでなく、ドア３０、ハウジング１１，２１、及びヒンジアセンブリ１００が破損する。したがって、このようなドア３０の作動中に発生する衝撃を吸収するために、本発明のヒンジアセンブリ１００は緩衝手段２１０，２２０，２３０，２４０を含む。
【００５９】
図５Ａ−図６Ｂは前記緩衝手段の第１実施形態を示す図面である。図示したように、前記緩衝手段の第１実施形態はドア３０の閉鎖時に発生する衝撃を吸収するように前記第１部材１２１を弾性的に支持する。
【００６０】
まず、図５Ａ及び図５Ｂを参照すると、前記緩衝手段は、前記第１部材１２１に接触するよう前記ハウジング１１，２１の内面に取り付けられる弾性部材２１０である。このような弾性部材２１０は、図５Ａに示すスポンジやゴム部材２１０ａ、又は図５Ｂに示す圧縮スプリング２１０ｂであり、弾性力を有するものであれば形状や材質に関らず、何れも弾性部材２１０として使用可能である。
【００６１】
また、図６Ａ及び図６Ｂに示すように、前記緩衝手段は前記第１部材１２１とブラケット１１０との連結部に設けられるスプリング２２０である。より詳細には、前記スプリング２２０は前記第１部材１２１に形成された切開部内に収容され、前記第１ヒンジ軸１１２ｂによって前記ハブ１１２ａ，１２１ｃと共に連結される。図６Ａに示すように、前記スプリング２２０の一端２２１は前記ブラケット１１０により支持されるように前記ブラケットのシート部２２１ａ内に配置される。そして、前記スプリング２２０の他端２２２は、前記第１部材１２１により支持されるように前記第１部材のシート部２２２ａ内に配置される。
【００６２】
このような第１実施形態において、図５Ａ及び図５Ｂの弾性部材２１０ａ，２１０ｂはドア３０が閉まるときに圧縮される。そして、前記ドア３０の開放時に前記弾性部材２１０ａ，２１０ｂは復元される、一方、ドア３０の開放時に前記第１部材１２１の回転によって図６Ａ及び図６Ｂのスプリング２２０の他端２２２は、前記ブラケット２１０に固定された一端２２１から次第に離隔する。
【００６３】
結果的に、前記ドア３０の開放によって前記スプリング２２０は捩じれ、前記ドア３０の閉鎖によって前記スプリング２２０は復元される。したがって、前記ドア３０が急激に閉まっても、衝撃はこのような緩衝手段２１０，２２０によって吸収され、洗濯機、及び乾燥機に伝達されない。また、前記緩衝手段２１０，２２０が復元されつつドア３０を押すので、前記ドア３０はスムースに開きやすい。
【００６４】
また、図７Ａ−図８Ｃに示すように、前記緩衝手段の第２実施形態はドア３０の開放中に発生する衝撃を吸収するように、前記第２部材１２２を弾性的に支持する。まず、図７Ａ及び図７Ｂに示すように、前記第２実施形態による緩衝手段は、前記第２部材１２２と外部フレーム３１との間に設けられる板スプリング２３０である。即ち、前記板スプリング２３０は、前記外部フレーム３１に連結された第２部材１２２のすぐ下に位置する。このような板スプリング２３０は、前記外部フレーム３１に形成されるボス２３１に締結部材２３２を使用して固定されえる。
【００６５】
尚、前記第２実施形態の緩衝手段２４０は、図８Ａ及び図８Ｂに示すように、前記外部フレーム３１に設けられる板スプリング２４１と、前記第２部材１２２に設けられるカム２４２とを含む。前記板スプリング２４１は前記第２部材、正確にはバー部材１２２ｃに並列に隣接して配置される。前記板スプリング２４１は前記外部フレーム３１のボス２４１ａに締結部材２４１ｂによって固定される。また、前記カム２４２は延長されたヒンジ軸１２２ｆに結合され、ドア３０の回転中に前記板スプリング２４１と接触するように配置される。
【００６６】
このような第２実施形態において、図７Ｃに示すように、前記ドア３０の開放時に、前記第２部材１２２は相対回転するドア３０によって前記板スプリング２３０と弾性的に接触する。また、図８Ｃに示すように、前記ドア３０の開放時に、前記板スプリング２４１は前記第２部材１２２に連結されたカム２４２と弾性的に接触する。したがって、このような板スプリング２３０，２４１はドア３０の開放時に曲がり、ドア３０の閉鎖時に復元される。したがって、前記ドア３０が急激に開放されても、前記板スプリング２３０，２４１は前記第２部材１２２、及びカム２４２によって変形しつつ衝撃を吸収する。前記板スプリング２３０，２４１はまた前記ドア３０の超過的な回転も弾性的に抑え、衝突による前記ドア３０、ハウジング１１，２１、及びヒンジアセンブリ１００の破損を防止する。
【００６７】
尚、前記ヒンジアセンブリ１００は、既述したように、一方のブラケット１１０、及びヒンジアーム１２０でも前記ドア３０を回転可能に支持可能である。
【００６８】
しかし、前記ドア３０をより安定的に支持するために、図３Ａ〜図３Ｃに示すように、前記ヒンジアセンブリ１００は他方のブラケット１３０、及びヒンジアーム１４０をさらに含むことが好ましい。即ち、このようなヒンジアセンブリ１００は、互いに連結される一対の第１及び第２ブラケット１１０，１３０、及び前記第１及び第２ブラケット１１０，１３０と回転可能に連結される
前記第１及び第２ヒンジアーム１２０，１４０を含む。
【００６９】
前記第２ブラケット１３０は貫通孔１３１ａを有する第１先端１３１と、サブ１３２ａを有する第２先端１３２とからなる。前記第２ヒンジアームの第１部材１４１は、ハブ１４１ｃを有する第１先端１４１ａと、第２先端１４１ｂとからなり、第２部材１４２は第１先端１４２ａと、第２ヒンジ軸１４２ｆを有する第２先端１４２ｂと、バー部材１４２ｃと、リブ１４２ｄ，１４２ｅとからなる。そして、前記ヒンジアセンブリ１００で前記ヒンジ軸１１２ｂは共有される。
【００７０】
このような第２ブラケット、及びヒンジアーム１３０，１４０は、上述した第１ブラケット、及びヒンジアーム１１０，１２０と同一である。また、説明してはいないが、他の付加的な構造も前記第１ブラケット、及びヒンジアーム１１０，１０２と同様であることは理解可能である。したがって、前記第２ブラケット、及びヒンジアーム１３０，１４０に関する付加的な説明は下記で省略する。
【００７１】
このようなヒンジアセンブリ１００において、前記ドア３０をより安定的に支持するためには、前記ヒンジアーム１２０，１４０と、ドア３０との連結地点間の距離が広く形成される。即ち、図４Ａに示すように、前記バー部材１２２ｃ，１４２間の距離ができるだけ広い方が有利である。
【００７２】
このような理由から、前記バー部材１２２ｃ，１４２ｃは図３Ａにより詳細に示すように、それぞれ前記第１部材１２１，１４１の長さ方向の中心線（軸）から外側に離隔して配置される。このような配置によって、図示したように、外側のリブ１２２ｄ，１４２ｄと、内側のリブ１２２ｅ，１４２ｅとは互いに異なる幅を有する。より詳細には、対称する外側のリブ１２２ｄ，１４２ｄの幅は互いに同じであり、また、対称する内側リブ１２２ｅ，１４２ｅの幅も互いに同じである。そして、互いに対向する内側リブ１２２ｅ，１４２ｅの幅が外側リブ１２２ｄ，１４２ｄの幅より大きい。
【００７３】
また、前記ヒンジアーム１２０，１４０は様々な理由から共に回転できないことがあり、このため、ドア３０は開閉は不安定になる。
【００７４】
したがって、前記ヒンジアセンブリ１００は前記ヒンジアーム１２０，１４０を互いに連結させる連結手段をさらに含む。
【００７５】
図９Ａを参照すると、第１実施形態として前記連結手段は、前記第１及び第２ヒンジアームの第１部材１２１，１４１を連結させる板形部材３１０である。    
前記板形部材３１０は、図９Ｂに示すように、強度を補強するために、その縁部から延長されるフランジ３１１を含む。
【００７６】
前記第１部材１２１，１４１には少なくとも一つ以上のボス１２３，１４３が形成される。そして、前記ボス１２３，１４３に締結部材を用いて固定されえるように前記板形部材３１０には少なくとも一つ以上の貫通孔３１２が形成される。また、前記フランジ３１１は前記ハウジング１１，２１と接触しないように前記第１部材１２１，１４１に向かって延長され、このようなフランジ３１１の高さは前記ボス１２３，１４３のそれより同じか低い。
【００７７】
図１０Ａ及び図１０Ｂを参照にすると、第２実施形態による連結手段は、前記第２部材１２２，１４２を連結させるロード３２０である。より詳細には、前記ロード３２０は前記第２部材のヒンジ軸１２２ｆ，１４２ｆを連結させる。
【００７８】
このようなロード３２０は上端部及び下端部にそれぞれ形成されるヒンジホール３２１ａ，３２１ｂを有し、前記ヒンジホール３２１ａ，３２１ｂは互いに対向するヒンジ軸１２２ｆ，１４２ｆをそれぞれ収容する。
【００７９】
一方、上述したロード３２０は前記ブラケット１１０，１３０と、ヒンジアーム１２０，１４０とが組み立てられる前に前記ヒンジ軸１２２ｆ，１４２ｆと結合されなければならない。しかし、前記ロード３２０の上端部、又は下端部の一部が着脱可能に形成される場合、前記ロード３２０はいつでも容易に前記ヒンジ軸１２２ｆ，１４２ｆと結合、又は分離されえる。
【００８０】
図１０Ｃに示すように、前記ロード３２０の上端、又は下端部はロードボディと一体に形成される第１先端部３２２と、該第１先端部３２２と着脱可能に結合される第２先端部３２３とからなる。前記第１先端部３２２は前記ヒンジ軸１２２ｆ，１４２ｆを支持する溝３２２ａを有する。
【００８１】
そして、前記第２先端部３２３も溝３２３ａを含み、前記第１及び第２先端部３２２，３２３が結合されるとき、これらの溝３２２ａ，３２３ａは前記ヒンジ軸１２２ｆ，１４２ｆを安定的に収容する。図示したように、前記第１及び第２先端部３２２，３２３は溝３２２ｂにピン３２３ａが押し込まれて結合され、他の方式でも結合されえる。
【００８２】
このような板形部材３１０、及びロード３２０は、既説明したように、前記ヒンジアーム１２０，１４０を互いに拘束させるように連結する。したがって、前記ヒンジアーム１２０，１４０は互いに同時に回転し、ドア３０が安定的に開閉される。
【００８３】
かかる本発明による作動を関連した図面に基づいて詳細に説明する。
【００８４】
図１１Ａ−図１１Ｄは本発明によるドアの開放過程を順次に示す部分断面図である。前記図面は単一のブラケット１１０、及びヒンジアーム１２０を有する基本的なヒンジアセンブリを示す。
【００８５】
前記ヒンジアセンブリが付加的なブラケット１３０、及びヒンジアーム１４０を有する場合、説明してはいないが、これらの作動においても前記ブラケット１１０、及びヒンジアーム１２０と同様である。
【００８６】
ユーザーは洗濯、又は乾燥のために洗濯物を洗濯機、又は乾燥機の内部に入れ、洗濯、又は乾燥が完了すると、前記洗濯機、又は乾燥機から洗濯物を取り出す。このような各々の場合、ユーザーはハウジング１１，２１に設けられたドア３０を開閉する。
【００８７】
まず、ユーザーが図１１Ａの閉鎖されたドア３０を開放する場合、図１１Ｂに示すように、前記ヒンジアーム１２０はこれに連結されたドア３０と共に回転する。即ち、前記ドア３０は前記ヒンジアーム１２０と共に、前記第１ヒンジ軸１１２ｂを中心に前記ブラケット１１０に対して相対的に回転し始める。同時に、前記第２部材１２２は、前記ブラケットのスロット１１３、及びハウジングのスロット１６，２６を介して外部に引出され始める。このようなヒンジアーム１２０の回転中に、前記ドア３０は前記ヒンジアーム１２０、つまり、第２部材１２２に対して相対的に、前記第２ヒンジ軸１２２ｆを中心にやや回転する。
【００８８】
その後、図１１Ｃに示すように、前記第１部材１２１が前記ブラケット１１０に引っ掛かると、前記ヒンジアーム１２０の回転は完了し、前記ドア３０は前記ハウジング１１，２１から大体１２０°〜１３０°の角度で開放される。
【００８９】
このように前記ヒンジアーム１２０がブラケット１１０に拘束されると、前記ドア３０は続けて第２ヒンジ軸１２２ｆを中心に前記ヒンジアーム、より正確には第２部材１２２に対して相対的に回転する。最終的に前記ドア３０は、図１１Ｄに示すように、前記ハウジング１３０から１８０°まで開放される。
【００９０】
既説明したように、前記ドア３０は、前記ブラケット１１０、及び前記ヒンジアーム１２０の各々に対して相対的に回転する。即ち、前記ドア３０は前記第１及び第２ヒンジ軸１１２ｂ，１２２ｆを中心にそれぞれ一定の角度だけ回転するので、実質上二段回転を行う。また、このような二段回転における前記第１ヒンジ軸１１２ｂに対する回転角度は、前記第２ヒンジ軸１２２ｆに対する回転角度より大きい。結果的に、一連の回転過程を経て前記ドア３０は前記ハウジング１３０に対して完全に開放される。
【００９１】
ユーザーが図１１Ｄの開放されたドア３０を閉める場合、既述したような開放過程は反対に行われる。即ち、前記ドア３０は前記ハウジング１１，２１に向かい、第２部材１２２に対して相対的に前記第２ヒンジ軸１２２ｆを中心に回転し始める。同時に、前記ドア３０は前記ヒンジアーム１２０と共に前記第１ヒンジ軸１１２ｂを中心にやや回転する。その後、前記ドア３０が前記第２ヒンジ軸１２２ｆを中心にそれ以上回転しないと、前記ドア３０とヒンジアーム１２０は第１ヒンジ１１２ｂを中心に続けて回転し、前記ドア３０が閉鎖される。
【００９２】
一方、このようなドア３０と連係する前記緩衝手段２１０，２２０，２３０，２４０、及び連結手段３１０，３２０の作動は上述したので以下では省略する。
【産業上の利用可能性】
【００９３】
以上説明したように、本発明による洗濯機、及び乾燥機用ドアは適切に設計されたヒンジアセンブリによって、ブラケット、つまり、ハウジングに対して相対的に回転し、続いてヒンジアームに対して再び相対的に回転しえる。したがって、前記ドアは完全に開放され、ユーザーは便利に洗濯機、及び乾燥機内に洗濯物を出し入れすることができる。また、制限された角度で開放される通常のドアと比較するとき、本発明のドアは完全に開放されるので、前記ドアに破損を引き起こす無理な力が加えられない。
【００９４】
また、前記ドア、及びヒンジアセンブリが含まれる緩衝手段は前記ドアの破損を防ぎ、前記ドアをスムースに開放、又は閉鎖する。そして、複数個のヒンジアームが使用される場合、前記連結手段は前記ヒンジアームを互いに連結して、前記ドアが安定的に開放、及び閉鎖されるようにする。
【図面の簡単な説明】
【００９５】
【図１】本発明による洗濯機を示す側断面図。
【図２】本発明による乾燥機を示す側断面図。
【図３Ａ】本発明による洗濯機、及び乾燥機用ドアに装着されるヒンジアセンブリを示す正面図。
【図３Ｂ】図３Ａに示すヒンジアセンブリの側面図。
【図３Ｃ】図３Ａに示すヒンジアセンブリの斜視図。
【図４Ａ】ヒンジアセンブリとドアとの連結部を示す部分拡大斜視図。
【図４Ｂ】ヒンジアセンブリとドアとの連結部を示す部分拡大斜視図。
【図５Ａ】本発明による洗濯機、及び乾燥機用ドアの緩衝手段の第１実施形態を示す部分断面図。
【図５Ｂ】本発明による洗濯機、及び乾燥機用ドアの緩衝手段の第１実施形態を示す部分断面図。
【図６Ａ】図５Ａ及び図５Ｂに示す第１実施形態の変形例を示す正面図。
【図６Ｂ】図５Ａ及び図５Ｂに示す第１実施形態の変形例を示す側面図。
【図７Ａ】本発明による洗濯機、及び乾燥機用ドアの緩衝手段の第２実施形態を示す部分断面図。
【図７Ｂ】本発明による洗濯機、及び乾燥機用ドアの緩衝手段の第２実施形態を示す斜視図。
【図７Ｃ】本発明による洗濯機、及び乾燥機用ドアの緩衝手段の第２実施形態を示す部分断面図。
【図８Ａ】図７Ａ〜図７Ｃに示す第２実施形態の変形例を示す部分断面図。
【図８Ｂ】図７Ａ〜図７Ｃに示す第２実施形態の変形例を示す斜視図。
【図８Ｃ】図７Ａ〜図７Ｃに示す第２実施形態の変形例を示す部分断面図。
【図９Ａ】本発明による洗濯機、及び乾燥機用ドアの連結手段の第１実施形態を示す斜視図。
【図９Ｂ】本発明による洗濯機、及び乾燥機用ドアの連結手段の第１実施形態を示す斜視図。
【図１０Ａ】本発明による洗濯機、及び乾燥機用ドアの連結手段の第２実施形態を示す斜視図。
【図１０Ｂ】本発明による洗濯機、及び乾燥機用ドアの連結手段の第２実施形態を示す斜視図。
【図１０Ｃ】図１０Ａ及び図１０Ｂに示す第２実施形態の変形例を示す斜視図。
【図１１Ａ】本発明によるドアの開放過程を順次に示す部分断面図。
【図１１Ｂ】本発明によるドアの開放過程を順次に示す部分断面図。
【図１１Ｃ】本発明によるドアの開放過程を順次に示す部分断面図。
【図１１Ｄ】本発明によるドアの開放過程を順次に示す部分断面図。
【図１】
2005514134.tif 000003
【図２】
2005514134.tif 000004
【図３Ａ】
2005514134.tif 000005
【図３Ｂ】
2005514134.tif 000006
【図３Ｃ】
2005514134.tif 000007
【図４Ａ】
2005514134.tif 000008
【図４Ｂ】
2005514134.tif 000009
【図５Ａ】
2005514134.tif 000010
【図５Ｂ】
2005514134.tif 000011
【図６Ａ】
2005514134.tif 000012
【図６Ｂ】
2005514134.tif 000013
【図７Ａ】
2005514134.tif 000014
【図７Ｂ】
2005514134.tif 000015
【図７Ｃ】
2005514134.tif 000016
【図８Ａ】
2005514134.tif 000017
【図８Ｂ】
2005514134.tif 000018
【図８Ｃ】
2005514134.tif 000019
【図９Ａ】
2005514134.tif 000020
【図９Ｂ】
2005514134.tif 000021
【図１０Ａ】
2005514134.tif 000022
【図１０Ｂ】
2005514134.tif 000023
【図１０Ｃ】
2005514134.tif 000024
【図１１Ａ】
2005514134.tif 000025
【図１１Ｂ】
2005514134.tif 000026
【図１１Ｃ】
2005514134.tif 000027
【図１１Ｄ】
2005514134.tif 000028
【国際調査報告】
2005514134.tif 000029
2005514134.tif 000030